(57)【要約】      （修正有）【課題】カードのピンボードへの差し込みを容易に行えるわごむパターンボードを提供する。【解決手段】わごむ４が引掛けられる多数のピン３が上面に設けられた扁平直方体状のピンボードに、わごむ４で作成し得る形が表示されているカード５を差し込める空間を設け、この空間に差し込んだカード５上の形に倣ってわごむ４をピン３に引掛け得る。ピンボードの左右の側面、正面又は背面のいずれか一面に、カード５を空間に差し込むための口を形成し、この口を形成した面の口より上下左右の４つの端面のうち少なくとも１つの端面が、カード５を空間に差し込むときに当該端面に接触したカード５を口に案内するように傾斜されたガイド面として形成されている。【選択図】図１
0003179305.tif 000002
【実用新案登録請求の範囲】
【請求項１】
わごむが引掛けられる多数のピンが上面に設けられた扁平直方体状のピンボードに、わごむで作成し得る形が表示されているカードを差し込める空間を設け、この空間に差し込んだカード上の形に倣って前記わごむを前記ピンに引掛け得るパターンボードであって、
前記ピンボードの左右の側面、正面又は背面のいずれか一面に、前記カードを前記空間に差し込むための口を形成し、この口を形成した面の口より上下左右の４つの端面のうち少なくとも１つの端面が、前記カードを前記空間に差し込むときに当該端面に接触したカードを前記口に案内するように傾斜されたガイド面として形成されていることを特徴とするわごむパターンボード。
【請求項２】
前記空間は、水平断面が矩形状に形成され、この空間を形成する底面の前記口側より前記カードの差し込み方向前方に、差し込まれたカードを前記口側の底面より上方で載置する載置部が設けられ、前記口側の底面に、前記空間の底面側に差し込まれた前記カードを載置部上に案内するガイド部を設けた請求項１に記載のわごむパターンボード。
【請求項３】
わごむが引掛けられる多数のピンが上面に設けられた扁平直方体状のピンボードに、わごむで作成し得る形が表示されているカードを差し込める空間を設け、この空間に差し込んだカード上の形に倣って前記わごむを前記ピンに引掛け得るパターンボードであって、
前記空間は、水平断面が矩形状に形成され、この空間を形成する底面の前記口側より前記カードの差し込み方向前方に、差し込まれたカードを前記口側の底面より上方で載置する載置部が設けられ、前記口側の底面に、前記空間の底面側に差し込まれた前記カードを載置部上に案内するガイド部を設けたことを特徴とするわごむパターンボード。
【請求項４】
前記ピンボードに、前記わごむを前記ピンに引掛けるときに基準となる目印を設けた請求項１〜３のいずれか１項に記載のわごむパターンボード。
【請求項５】
請求項１〜４のいずれか１項に記載のわごむパターンボードは、前記ピンボードの他に、大きさや色が異なる複数種のわごむと、前記わごむで作成し得る形が表示されているとともに、当該形を作るのに必要なわごむの数及び種類が表示されているカードとを備えることを特徴とするわごむパターンボード。
【請求項６】
前記ピンボードは、ピンの個数や配置が異なる２種類以上のピンボードからなり、
前記カードは、前記２種類以上の各ピンボードにそれぞれ使用し得るピンボード毎の各専用のカードを少なくとも１枚有している請求項５に記載のわごむパターンボード。
【考案の詳細な説明】
【技術分野】
【０００１】
本考案は、わごむを使っていろいろな形を作るわごむパターンボードに関するものである。
【背景技術】
【０００２】
わごむパターンボードは、ピンボードの上面にに立設された多数のピンのうち選択したピンにわごむを引掛けてわごむでいろいろな形を作るものである。わごむパターンボードの１つとして、多数のピンが上面に立設されているピンボードと、多数のピンから選択したピンに引掛けて所望の形を作るわごむと、わごむで作成し得る形が表示されているカードとを備えたものが知られている（例えば、実開平4-27997号公報）。そのカードをピンボードの内部の空間に開口から差し込み、当該カードに表示されている形に倣ってわごむをピンに引掛けることで、カードに表示された形と略同じ形をわごむで作ることができる。
【考案の概要】
【考案が解決しようとする課題】
【０００３】
ところで、前述のわごむパターンボードは、ピンボードであるボード本体が横長で扁平な直方体状に形成され、このボード本体の左側の側面が開口されてこの開口である口からボード本体の内部の空間にカードを差し込めるようになっている。カードの差し込みを容易に行えるように、例えば、口の高さを高くすると、口の高さと同じように空間の高さも高くなるので、空間にカードを差し込んだとき、空間を形成する上面とカードとの間が広くなってボード本体を通してカードに表示されている形が見難くなったり表示されている形がピンの位置とずれたり、また、空間内でカードが高さ方向に動いたりすることがある。このため、口の高さを高くすることができず、カードの差し込みを容易に行えなかった。
本考案が解決しようとする課題は、カードのピンボードへの差し込みを容易に行えるようにすることにある。
【課題を解決するための手段】
【０００４】
前記課題を解決するため、本考案に係るわごむパターンボードは、わごむが引掛けられる多数のピンが上面に設けられた扁平直方体状のピンボードに、わごむで作成し得る形が表示されているカードを差し込める空間を設け、この空間に差し込んだカード上の形に倣って前記わごむを前記ピンに引掛け得るパターンボードであって、前記ピンボードの左右の側面、正面又は背面のいずれか一面に、前記カードを前記空間に差し込むための口を形成し、この口を形成した面の口より上下左右の４つの端面のうち少なくとも１つの端面が、前記カードを前記空間に差し込むときに当該端面に接触したカードを前記口に案内するように傾斜されたガイド面として形成されていることを特徴とする。
【０００５】
このようにピンボードの口が形成されている端面がガイド面として形成されていることで、カードをピンボードの口から空間に差し込むときに、カードの先端がガイド面に接触する程度ずれても、カードの先端がガイド面に沿って口へと案内されて口から空間に案内されるので、例えば、口の高さを高くすることなく、カードのピンボードへの差し込みを容易に行えるようになる。
【０００６】
また、本考案に係るわごむパターンボードは、空間が、水平断面が矩形状に形成され、この空間を形成する底面の口側よりカードの差し込み方向前方に、差し込まれたカードを口側の底面より上方で載置する載置部が設けられ、口側の底面に、空間の底面側に差し込まれたカードを載置部上に案内するガイド部を設けたことを特徴とする。
【０００７】
このように構成することで、カードを空間に差し込むときに、カードの先端が空間の底面側に差し込まれたとき、カードの先端がガイド部に接触してガイド部によって載置部上に案内されるから、口の高さを高くすることができるので、カードのピンボードへの差し込みを容易に行えるようになる。
【０００８】
この場合において、ピンボードに、わごむをピンに引掛けるときに基準となる目印を設けることができる。
また、パターンボードとして、ピンボードの他に、大きさや色が異なる複数種のわごむと、わごむで作成し得る形が表示されているとともに、当該形を作るのに必要なわごむの数及び種類が表示されているカードとを備えることができる。この場合において、ピンボードが、ピンの個数が異なる２種類以上のボードからなり、カードが、２種類以上の各ボードにそれぞれ使用し得るピンボード毎の各専用のカードを少なくとも１枚有するようにすることができる。
【考案の効果】
【０００９】
本考案によれば、カードのピンボードへの差し込みを容易に行うことができる。
【図面の簡単な説明】
【００１０】
【図１】本考案に係るわごむパターンボードの実施形態の一例を示す斜視図である。
【図２】本実施形態のわごむパターンボードに用いられるピンボードの一例を示す斜視図である。
【図３】本実施形態のわごむパターンボードに用いられるピンボードの他の例を示す斜視図である。
【図４】図３中のＡ−Ａ線矢視断面図である。
【図５】本実施形態のわごむパターンボードに用いられるカードの一例を示す平面図である。
【考案を実施するための形態】
【００１１】
以下、本考案に係るわごむパターンボードの一実施形態を添付図面に基づいて説明する。図１〜図４に示すように、本実施形態のわごむパターンボード１は、わごむ４が引掛けられる多数のピン３が上面に設けられたピンボード２Ａ、２Ｂに、カード５を差し込める空間２１を設け、この空間２１に差し込んだカード５上の形に倣ってわごむ４をピン３に引掛け得るものである。
【００１２】
ピンボード２Ａ、２Ｂは、ボード本体であり、例えば、扁平な直方体状に形成され、下面がピンボード２Ａ、２Ｂをディスク上等に置く載置面として形成されている。ピンボード２Ａ、２Ｂの内部の空間２１は、水平断面が正方形に近い矩形状に形成されている。ピンボード２Ａ、２Ｂの左右の側面、正面又は背面のいずれか一面、例えば、右側面にカード５を空間２１に差し込むための口２２が設けられている。この口２２は、空間２１の前後方向の縦断面の開口形状が同じに形成されている。
【００１３】
ピンボード２Ａ、２Ｂの空間２１より上方の部材が、空間２１に差し込んだカード５の表面に表示された図形等を目視しうる部材、例えば、合成樹脂等の透明な部材で形成されている。その他の部材は、特に限定されず、例えば、有色な合成樹脂等で形成されている。すなわち、ピンボード２は、透明な部材の上部材２ａと、有色な部材の下部材２ｂの２つの部材から形成されている。
【００１４】
ピンボード２Ａ、２Ｂの上面には、わごむ４が引掛けられる例えば断面円形のピン３が多数立設されている。ピン３の個数や配置は、特に限定されず、任意に設定されるが、例えば、初心者用のピンボード２Ｂ（図３参照。）のように１９個のピン３を６角形状にピン３間隔を３０ｍｍに配置したり、中上級者用のピンボード２Ａ（図３参照。）のように８１個のピン３を縦９列、横９列にピン３間隔を１５ｍｍに配置したりしてもよい。ピン３の高さ及び径は任意に設定される。また、ピン３の先端には、ピン３に引掛けられたわごむ４がピン３から抜け難くする抜け止め拡径部３１が設けられている。拡径部３１は、たとえば、ピンボード２の上面から突出する箇所の径より大きな径の略球状の球状部として形成されていることが好ましい。先端の球状部を含むピン３は、ピンボード２の上面を形成する透明な部材に一体的に形成されていることが好ましく、例えば、エポキシ樹脂によりピン３は上部材２ａに一体的に形成されている。
【００１５】
ピンボード２の右側面は、口２２以外の面である端面が横長のロ字状に形成されている。この口２２より下側の下面である下方面は、下側に行くにつれて漸次突出するように傾斜されたガイド面２５として形成されており、カード５を空間２１に差し込むとき、このガイド面２５にカード５の先端が接触した場合でも、カード５がガイド面２５に沿って移動して口２２に案内されて空間２１にカード５が差し込まれるようになっている。なお、カード５を口２２に案内するガイド面は、右側面、すなわち、口が形成された面の口より上下左右の４つの端面のうち下方面にのみ設けてもよいし、残りの３つの端面の１つの端面のみに設けるようにしてもよいし、上下左右の４つの端面のうち２つの端面、例えば、左右の端面や上下の端面に設けてもよいし、上下左右の４つの端面のうち３つの端面、例えば、左右の端面と下の端面に設けてもよいし、上下左右の４つの端面のすべてに設けてもよい。
【００１６】
空間２１は、水平断面が矩形状に形成されている。空間２１を形成する上面（上部材２ａの下面）は平面に形成されている。空間２１を形成する底面２１ａ（下部材２ｂの上面）の口２２側よりカード５の差し込み方向前方には、差し込まれたカード５を口２２側の底面２１ａより上方で載置する載置部２６が設けられているとともに、口２２側の底面２１ａに、空間２１の底面２１ａ側に差し込まれたカード５を載置部２６上に案内するガイド部２７が設けられていることが好ましい。これら載置部２６及びガイド部２７は、空間２１の底面２１ａ側に差し込まれたカード５を載置部２６上に案内して載置させることができればどのように形成してもよく、例えば、空間２１を形成する上面と平行な平面で載置部２６を形成するとともにガイド部２７を載置部２６から下方に傾斜する傾斜面で形成する底面２１ａ全体を断面への字状に形成するようにしてもよいし、図示するように、空間２１を形成する上面と平行な平面で底面２１ａを形成し、この底面２１ａに、載置部２６とガイド部２７とを有するガイド２８を設けるようにしてもよい。
【００１７】
ガイド２８は、底面２１ａから上方に突出してカード５の差し込み方向に延びて形成されている。ガイド２８は、カード５の差し込み方向に直交する方向に間隔をあけて２つ以上例えば２つ底面２１ａに設けられている。ガイド２８の上面が、空間２１を形成する上面と平行な平面で載置部２６として形成されている。ガイド２８の口２２側の端部が上面である載置部２６から先端にいくにつれて漸次下方に傾斜したガイド部２７として形成されている。ガイド２８の延出方向の長さは、差し込んだカード５が安定した状態で載置され得る範囲から任意に設定され、例えば、ガイド部２７が口２２の近傍に位置されるとともに、他方の端部が左側の側面の近くに位置される寸法で形成されている。また、２つのガイド２８の間隔は、差し込んだカード５が安定した状態で載置され得る範囲から任意に設定される。
【００１８】
ピンボード２には、わごむ４をピン３に引掛けるときに基準となる目印６を設けることが好ましい。目印６は、わごむ４をピン３に引掛けるときに基準となるものであれば特に限定されず、例えば、基準となるピン３に、他のピン３と異なる採色や形状等を施してもよいが、下部材２ｂの上面（底面２１ａ）に設けるようにすることが好ましい。基準となるピン３に対応する底面２１ａに、底面２１ａの色と異なる色の円形等の図形、例えば、底面２１ａの色が薄ピンクの場合には、緑や赤等の一目で目視で認識可能な薄ピンクと異なる色の円形を表示するようにする。また、基準となるピン３は、特に限定されず、任意に設定することができる。具体的には例えば、１９ピンの場合には、中央のピン３に対応する底面２１ａの位置に緑の円形で目印６を表示するようにしてもよいし、８１ピンの場合には、中央のピン３と、縦に並んでいる９列の１列目と９列目の中央の２本のピン３と、横に並んでいる９列の１列目と９列目の中央の２本のピン３との合計５本のピン３に対応する底面２１ａの位置に５つの赤の円形の目印６をそれぞれ表示するようにしてもよい。
【００１９】
わごむ４は、特に限定されず、周知のものを用いることができる。わごむ４の大きさは、特に限定されず、１種類でもよいが、大きさが異なる２種類以上であることが好ましく、例えば、大中小の３種類であることが好ましい。また、わごむ４の色は、特に限定されず、１色のわごむ４のみからなってもよいが、異なる色のわごむ４を２種類以上、例えば、赤、ピンク、オレンジ、緑、青、紫の６色の６種類のわごむ４からなることが好ましく、大中小の３種類のわごむ４毎に６種類の色の異なるわごむ４を有するようにしてもよいし、大きさに応じてわごむ４の色を任意に設定するようにしてもよい。
【００２０】
カード５は、図１及び図５に示すように、わごむ４で形成し得る形が表示されているものである。カード５は、ピンボード２の空間２１の形状に応じて任意に形成され、本実施形態では、略矩形状に形成されている。カード５の前後方向の長さは、空間２１の前後方向の長さより短い例えば若干短い寸法で形成されている。カード５の左右方向の長さは、空間２１の左右方向の長さより長い、例えば、ピンボード２の口２２から空間２１内にカード５を差し込んだときに、一部が口２２から突出した状態になり、この突出した箇所に文字や図形等その他の表示を行え得る寸法で形成されていることが好ましい。
【００２１】
カード５に表示される形は、備えられるわごむ４または市販のわごむ４を多数使って作り得る形であれば特に限定されず、例えば、三角形、四角形などの多角形、台形、ひし形等の形状を組み合わせた図形、生き物や建物等を模した図形等のパターン５１である。このパターン５１は、カード５をピンボード２に差し込んだとき、パターン５１に沿ってわごむ４をピン３に引掛けることで、パターン５１と略同じ図形をわごむ４で形成することができるものである。パターンの一例として、魚の形のパターン５１があり、このパターンは、例えば、赤の大のわごむ４ａで作る赤枠５１ａ、黄色の大のわごむ４ｂで作る黄枠５１ｂ、緑の大のわごむ４ｃで作る緑枠５１ｃ、ピンクの大のわごむ４ｄで作るピンク枠５１ｄ、緑の中のわごむ４ｅで作る緑枠５１e，緑の小のわごむ４ｆで作る緑枠５１ｆで作られている。
【００２２】
カード５の枚数を多くしてその枚数分の異なるパターン５１をカード５に表示させることで、多くのパターン５１を楽しめる。また、カード５の一方の面のみにパターン５１を表示するようにしてもよいが、カード５の両面に、両面ごとに異なるパターン５１を表示するようにすることが好ましい。パターン５１は、ピンボード２が１種類の場合には、１種類のピンボード用だけでよいが、ピンボード２が２種類以上例えば２種類ある場合には、２種類のピンボード２毎に各専用のカード５を少なくとも１枚すなわち１枚又は２枚以上好ましくは多数枚作成することが好ましい。
【００２３】
また、カード５には、表示されている形であるパターン５１を作るのに必要なわごむ４の数及び種類を表示することが好ましい。この必要なわごむ４の数及び種類の表示は、どのように表示してもよく特に限定されないが、例えば、わごむ４の大きさが大中小３種類ある場合、径の異なる３つの円形でかつ白抜きの大中小の文字を入れて３種類のわごむ４の大きさを表し、円形の色をゴムの色で表し、かつ、この円形の右側に×数字でわごむ４の個数を表すようにしてもよい。具体的には例えば、図５に示すように、赤の大５２ａのわごむが１個、黄色の大５２ｂのわごむが１個、緑の大５２ｃのわごむが１個、ピンクの大５２ｄのわごむが１個、緑の中５２ｅのわごむが３個、緑の小５２ｄのわごむが１個を図示するようにしてもよい。また、必要なわごむの数及び種類の表示の箇所は、特に限定されず、ピンボード２の空間２１内に位置されるカード５の箇所でもよいが、カード５をピンボード２の空間２１に差し込んだときに、ピンボード２に差し込まれない箇所すなわちピンボード２から突出する箇所（突出箇所）に前後方向の後方に１列に表示することが好ましい。また、このカード５の突出箇所の前後方向の前方には、ピンボード２が２種類ある場合には、ボードの種類、例えば、１９ピンと８１ピンをボードの種類として表示するとともに、カード５の番号を表示するようにしてもよい。
【００２４】
さて、このわごむパターンボード１で遊ぶには、ピンボード２を平らな面例えばディスク上に置いて、このピンボード２の所望の２つ以上のピン３にわごむ４を引掛ける。場合によってはわごむ４をピンボード２上におくこともある。これにより、わごむ４をいろいろな形にして遊べる。このとき、わごむ４が大きさの違うものや色が違うものがあればそれだけいろいろなわごむ４を使っていろいろな形を作れる。
【００２５】
また、カード５を口２２からピンボード２の空間２１内に差し込むことで、カード５に表示されているパターン５１に沿ってわごむ４をピン３に引掛けることで、パターン５１に表示されている図形と同じ形をわごむ４で簡単に作ることができる。このとき、カード５にパターン５１を作るのに必要なわごむ４の数及び種類が表示されていることで、パターン５１に表示されている図形と同じ形をわごむ４でより簡単に作れる。また、カード５をピンボード２に差し込まずにピンボード２の横等に置いてそのカード５に表示されているパターン５１を見ながらピンボード２のピン３にわごむ４を引掛けて遊ぶこともできる。このとき、ピンボード２に、わごむ４をピン３に引掛けるときに基準となる目印６が設けられていると、わごむ４を目的のピン３に引掛け安くなる。
【００２６】
カード５をピンボード２に差し込むとき、口２２より下の面が傾斜されたガイド面２５として形成されているから、カード５の先端が口２２よりガイド面２５側にずれても、カード５の先端がガイド面２５に接触してガイド面２５の傾斜に沿って口２２へと案内されて口２２から空間２１内へと案内されるので、口２２の高さを高くすることなく、カード５のピンボード２への差し込みを容易に行えるようになる。
【００２７】
したがって、本考案のわごむパターンボード１は、カード５のピンボード２への差し込みを容易に行うことができる。
【００２８】
空間２１を形成する底面２１ａに、載置部２６とガイド部２７とを有するガイド２８が設けられていることで、カード５を空間２１に差し込むときに、カード５の先端が空間２１の底面２１ａ側に差し込まれたとき、カード５の先端がガイド部２７に接触してガイド部２７の傾斜に沿って載置部２６上に案内されて差し込まれたカード５は載置部２６上に載置される。すなわち、カード５は、底面２１ａ側から上部材２ａ側に案内される。よって、口２２の高さを高くすることができるので、カード５のピンボード２への差し込みを容易に行えるようになる。また、カード５をピンボード２の空間２１に差し込んだとき、カード５がガイド２８によって上部材２ａである透明部材側に案内すなわち近づくから、ガイド２８がない場合に比して、カード５を差し込んだとき、カード５が空間２１内でカード５の厚さ方向に動き難くすなわち遊びが少なく、ボード本体を通してカード５に表示されている形が見え易いし、カード５に表示されているパターン５１がピン３の位置とずれ難くなる。
【００２９】
また、ピンボード２がピン３の個数や配置が異なる２種類以上のボード、例えば、１９ピンのピンボード２と８１ピンのピンボード２の２種類を備え、カード５も１９ピン用のカード５と８１ピン用のカード５の２種類を備えることで、初級者から上級者まで、子供から大人までの幅広い範囲で遊ぶことができるので、本実施形態のわごむパターンボード１は汎用性が高いものである。
【符号の説明】
【００３０】
１  わごむパターンボード
２  ピンボード
３  ピン
４  わごむ
５  カード
６  目印
２１  空間
２１ａ  底面
２２  開口
２５  ガイド面
２６  載置部
２７  ガイド部
２８  ガイド
５１  パターン
【図１】
0003179305.tif 000003
【図２】
0003179305.tif 000004
【図３】
0003179305.tif 000005
【図４】
0003179305.tif 000006
【図５】
0003179305.tif 000007